(57)【特許請求の範囲】
【請求項１】
入力信号の振幅セグメントごとに調整可能な伝達特性を有する非線形回路において、
前記入力信号の振幅セグメントごとにセグメント利得係数を供給するとともに、これらセグメント利得係数の平均値となる共通利得係数を供給する手段と、
各々前記入力信号と基準電圧とを比較して、前記基準信号の上限と下限との間にある振幅セグメント信号を出力するセグメントゲート回路と、
前記セグメントゲート回路に結合され、前記入力信号と前記入力信号の振幅セグメントの下限との間の差の関数に、それぞれのセグメント利得係数と前記共通利得係数との間の差の関数を、前記振幅セグメント信号に基づいて個別に乗算して、前記入力信号の振幅セグメントごとに調整可能な非線形信号を供給する非線形セグメント増幅手段と
を具える非線形回路。
【請求項２】
前記入力信号を受信するために結合される第１入力部、前記非線形信号を受信するよう前記非線形セグメント増幅手段に結合される第２入力部、及び前記入力信号と前記非線形信号との和である当該非線形回路の出力信号を出力する出力部を有する加算器を更に具えることを特徴とする請求項１記載の非線形回路。
【請求項３】
前記入力信号が５個の振幅セグメントに分割されることを特徴とする請求項１記載の非線形回路。
【請求項４】
振幅セグメントごとに調整可能な伝達特性を有する入力信号を処理する方法において、
前記入力信号の振幅セグメントごとにセグメント利得係数を供給するステップと、
前記セグメント利得係数の平均値となる共通利得係数を供給するステップと、
前記入力信号と基準電圧とを比較して、前記基準信号の上限と下限との間にある振幅セグメント信号を夫々出力するステップと、
前記入力信号と前記入力信号の振幅セグメントの下限との間の差の関数に、それぞれのセグメント利得係数と前記共通利得係数との間の差の関数を、前記振幅セグメント信号に基づいて非線形的かつ個別に乗算することにより、前記入力信号の振幅セグメントごとに調整可能な非線形信号を出力するステップと
を有する入力信号を処理する方法。
【発明の詳細な説明】
【０００１】
【産業上の利用分野】
本発明は、入力信号の振幅に応じて調整可能な伝達特性を有する非線形信号処理に関するものである。
【０００２】
【従来の技術】
ディジタル回路では、このような非線形信号処理を、ルックアップテーブルとして動作するメモリを用いて簡単な方法で行うことができる。しかしながら、アナログ回路では、振幅に応じて調整可能な伝達特性を有する入力信号の非線形回路は容易に実現することができない。
【０００３】
【発明が解決しようとする課題】
欧州特許公開明細書第0382100 号にガンマ補正装置が開示されており、このガンマ補正装置は、入力ビデオ信号を複数の信号レベルに基づいて複数のレベル範囲に分割する分類回路と、この分類回路によって得られたレベル範囲のそれぞれの範囲内でビデオ信号の領域を演算する演算回路と、演算回路によって演算された各領域に基づいて制御されたガンマ補正特性を有し、入力ビデオ信号をガンマ補正し、かつ、ガンマ補正されたビデオ信号を出力するように配置されたガンマ補正制御回路とを具える。この装置の欠点は、ビデオ信号のレベル範囲に基づいて領域を演算するための時間が必要となることである。したがって、ガンマ補正をリアルタイムで行うことができない。
【０００４】
独国特許公開明細書第4237420 号には像の明るさを制御する自動イメージトーン制御回路が開示されている。任意のライングラフを有する入出力特性は、複数の明るさ周波数検出回路によって検出される輝度の明るさの見かけの周波数に応答する複数の勾配調整回路によって得ることができる。各勾配調整回路は、調整電流発生回路と、対応する調整電流発生回路からの調整電流を、低次の勾配調整回路の調整電流発生回路からの他の調整電流に加える加算回路とを具える。他の調整電流は、現在の勾配調整回路と低次の勾配調整回路との間の次数の差に応じた関数によって重み付けされている。各勾配調整回路は、全ての入力信号を、対応する加算回路の出力信号に応じた係数で乗算する勾配調整電流発生回路も具える。その結果、適応性が制限され、かなり複雑な回路となる。
【０００５】
したがって本発明の目的は、振幅に応じて調整可能な伝達特性を有する入力信号のアナログ非線形信号処理を簡単かつ容易に提供せんとするものである。このために、本発明の第１の態様は、請求項１に規定したように、振幅セグメントごとに調整可能な伝達特性を有する入力信号の非線形回路を提供する。本発明の第２の態様は請求項６に規定したような方法を提供する。好適実施例を従属項で規定する。
【０００６】
【課題を解決するための手段】
本発明による非線形回路は、入力信号の振幅セグメントごとに調整可能な伝達特性を有する非線形回路において、
前記入力信号の振幅セグメントごとにセグメント利得係数を供給するとともに、これらセグメント利得係数の平均値となる共通利得係数を供給する手段と、
前記入力信号と複数の基準電圧とから複数の振幅セグメント信号を得るセグメントゲート回路と、
前記セグメントゲート回路に結合され、前記入力信号と前記入力信号の振幅セグメントの下限との間の差の関数に、それぞれのセグメント利得係数と前記共通利得係数との間の差の関数を、前記振幅セグメント信号に基づいて個別に乗算して、前記入力信号の振幅セグメントごとに調整可能な非線形信号を供給する非線形セグメント増幅手段とを具える。非線形回路は、前記非線形セグメント増幅手段に結合され、増幅された出力信号を供給する出力手段を更に具え、前記入力信号に対する前記出力手段の増幅が前記入力信号の振幅セグメントごとに調整可能である。
【０００７】
このような回路を、測定されたヒストグラムに基づいて、測定されたヒストグラムセグメント値に応じたヒストグラムセグメントごとに非線形増幅器の増幅を調整するアナログ画像エンハンスメント回路中で非線形増幅器として用いるのが好適である。本発明によれば、入力信号の各セグメントは請求項１の非線形セグメント増幅手段（又は請求項６の非線形乗算ステップ）で個別に処理されるので、従来よりも簡単かつ適切な非線形信号処理が行われる。セグメント利得係数の（重み付けされた）和の（重み付けされた）平均値となることができる共通利得係数を用いると、非常に簡単に非線形回路の全体に亘る伝達特性が各セグメント間で円滑な変化を有するようになることが明らかになった。
【０００８】
【実施例】
図１の実施例では、入力信号Ｙi （例えば輝度信号）が５個のセグメントゲート回路１１〜１５に供給される。セグメントの数を種々のものにすることもできるが、五つの場合には、ヒストグラム変換を用いるアナログ画像エンハンスメントに対して良好な結果が得られた。セグメントを、同一の寸法とすることもでき、また、任意の長さにすることもできる。しかしながらセグメントを任意の長さにする場合、所定の変更を以下の説明に従って加える必要がある。セグメントゲート回路１１〜１５のゲート入力部には、電流Ｉが供給される抵抗段２１〜２５の端子から電圧Ｖ０〜Ｖ５が印加される。これらの電圧の最小電圧Ｖ０は黒レベルの基準電圧Ｙbrefであり、最大電圧Ｖ５はＶ０＋Ｉ＊（Ｒ２１＋Ｒ２２＋Ｒ２３＋Ｒ２４＋Ｒ２５）に等しい。ゲート回路１x は信号Ｙx を供給する。この信号Ｙx はＹi ≦Ｖ（ｘ−１）の場合Ｖ（ｘ−１）に等しく、Ｖ（ｘ−１）≦Ｙi≦Ｖｘの場合Ｙi に等しく、Ｙi ≧Ｖｘの場合Ｖｘに等しい。ここでｘ＝１，  ，５である。信号Ｙ１〜Ｙ５は差動増幅器３１〜３５の第１入力部１に供給され、これら差動増幅器３１〜３５の第２入力部２に電圧Ｖ０〜Ｖ４が印加される。差動増幅器（乗算器）３１〜３５の第３入力部３にバイアス電圧ＨＭ１〜ＨＭ５が印加され、これらバイアス電圧ＨＭ１〜ＨＭ５は、本発明による非線形増幅器の好適例では、測定されたヒストグラムセグメント値から得ることができる。差動増幅器３１〜３５の第４入力部４はバイアス電圧ＨＭ１〜ＨＭ５の平均値ＨＭａを受ける。任意の長さのセグメントに対して、各バイアス電圧を、セグメントの相対的な長さに依存する係数により、ＨＭａを決定するに当たって重み付けを行うことができる。差動増幅器（乗算器）３１〜３５の出力部における積Ｙ"１−Ｙ"５は、
【数１】
0003980660.tif 000002
に基づいて得られる。
【０００９】
したがって信号Ｙ"５は、Ｙ"５＝（Ｙ５−Ｖ４）＊（ＨＭ５−ＨＭａ）＊Ｋに基づいて得られる。ここでＫは、好ましくは０．６に等しい定数である。差動増幅器３１−３５の第２入力部２の項Ｖｘが種々の値を取るために、（入力信号の振幅Ｙi が関連のセグメントの下限Ｖｘ以下である場合）関連のセグメントの下限に等しい振幅Ｙ（ｘ＋１）が差動増幅器３ｘの出力信号に寄与しないようになる。上述した差動増幅器（乗算器）３１−３５はギルバートセルとして既知であり、（例えばモトローラ社のＩＣ  ＭＣ１４９５Ｌとして）市販されている。
【００１０】
差動増幅器３１〜３５の出力信号Ｙ"１〜Ｙ"５は、差動増幅器３１〜３５の出力部を相互接続することにより加算され、和信号Ｙ"ｓとなる。この和信号Ｙ"ｓは差動増幅器３７に供給され、Ｙ"＝（Ｙ"ｓ−Ｖ０）＊（Ｖ０−Ｙ"ｃｔｒｌ）に基づいて項Ｙ"を得る。ここでＹ"ｃｔｒｌはバイアス電圧である。項Ｙ"は加算器３９において入力信号Ｙi に加算され、出力信号Ｙｈｍが得られる。このようにしてこの出力信号Ｙｈｍは、入力信号Ｙi の振幅セグメントＶ０−Ｖ１，  ，Ｖ４−Ｖ５ごとに調整可能な利得係数ＨＭ１，  ，ＨＭ５によって非線形的に増幅することにより入力信号Ｙi から得られる。
【００１１】
係数ＨＭｘ−ＨＭａ（ｘ＝１，  ，５）を分割して乗算しているため、利得特性は常に、バイアス電圧ＨＭ１−ＨＭ５に関係なく点（０，０）及び（Ｖmax ，Ｖmax ）を通過するようになる。ここで、Ｖmax を入力信号Ｙi の最大に許容された値とする。これにより、非線形増幅が、補正項Ｙ"を入力信号Ｙi に加算することにより得られるようにもなり、したがって出力信号Ｙｈｍの重要な部分Ｙi に影響を及ぼすノイズを引き起こす回路素子の個数を最小限に抑えることができる。
【００１２】
図２は、図１の非線形増幅器に用いるゲート回路１ｘ（ｘ＝１，  ，５）の例を示す。下限電圧Ｖ（ｘ−１）は、ＮＰＮ型差動増幅器対Ｔ１，Ｔ２のトランジスタＴ１のベースに印加される。ＮＰＮ型差動増幅器対Ｔ１，Ｔ２のコレクタを正の電源電圧＋Ｖに接続し、ＮＰＮ型差動増幅器対Ｔ１，Ｔ２の相互接続されたエミッタを抵抗Ｒ１を介して負の電源電圧−Ｖに接続する。入力電圧Ｙi をトランジスタＴ２のベースに印加する。トランジスタＴ１，Ｔ２のエミッタの電圧Ｙｍは、下限電圧Ｖ（ｘ−１）及び入力信号Ｙi の最大値となる。トランジスタＴ１，Ｔ２のエミッタをＰＮＰ型差動増幅器対Ｔ３，Ｔ４のトランジスタＴ３のベースに接続する。ＰＮＰ型差動増幅器対Ｔ３，Ｔ４のコレクタを負の電源電圧−Ｖに接続し、ＰＮＰ型差動増幅器対Ｔ３，Ｔ４の相互接続されたエミッタを、抵抗Ｒ２を介して正の電源電圧＋Ｖに接続する。上限電圧ＶｘをトランジスタＴ４のベースに印加する。上限電圧Ｖｘ及び電圧Ｙｍの最小値に等しい出力電圧Ｙｘを、トランジスタＴ３，Ｔ４のエミッタから得ることができる。
【００１３】
図３は本発明による非線形増幅器の第２実施例を示し、本例はＣＭＯＳで実現するのが特に好適である。（同一又は任意の寸法を有する）五つの振幅セグメントのいずれかに入力信号Ｙi が存在するかを決定するために、この入力信号Ｙiはｎ個（例えば５個）のコンパレータ５１，  ，５ｎの第１入力部に供給される。コンパレータ５１，  ，５ｎの第２入力部を、緩衝増幅器４１，  ，４ｎを介して抵抗段２１，  ，２ｎに接続する。抵抗段の一端に結合された電流源Ｉから供給される電流は、抵抗段２１，  ，２ｎを流れる。最低基準電圧レベルＶbref（例えば、黒レベルの基準電圧）を抵抗段２１，  ，２ｎの他端に印加する。抵抗段の他端は、電圧が印加される度にこの最低基準電圧レベルＶbrefよりも高い電圧Ｖ１，  ，Ｖｎを伝達する。コンパレータ５１，  ，５ｎの出力部を論理ＮＯＲ回路６１，  ，６ｎの第１入力部に接続し、この論理ＮＯＲ回路６１，  ，６ｎの第２入力部を接地点及びコンパレータ６１，  ，６（ｎ−１）の出力部にそれぞれ接続する。ＮＯＲ回路６１，  ，６ｎの出力信号Ｓ１，  ，Ｓｎは、振幅セグメントの範囲内で瞬時の信号Ｙi が存在することを示す。
【００１４】
振幅セグメント表示信号Ｓ１，  ，Ｓｎをヒストグラム測定回路６７に供給し、バイアス電圧ＨＭ１，  ，ＨＭｎ及び平均値ＨＭａを得て非線形増幅器の利得特性を調整することができる。しかしながら、バイアス電圧ＨＭ１，  ，ＨＭｎをヒストグラム測定によって得るか別の方法によって得るかについては非線形増幅器の動作には関係ない。バイアス電圧ＨＭ１，  ，ＨＭｎを加算回路６９に供給し、
【数２】
0003980660.tif 000003
【数３】
0003980660.tif 000004
及び
【数４】
0003980660.tif 000005
に基づいて加算信号ΣＭ１，  ，ΣＭｎを決定する。
ＣＭＯＳスイッチにより正確な動作を行えるように、平均ヒストグラム値ＨＭａを信号ΣＭｘのそれぞれに加算して正の値ΣＭｘ’＝ΣＭｘ＋ＨＭａ（但し、ΣＭ１’＝ＨＭａ，ΣＭ２’＝ＨＭ１，ΣＭ３’＝ＨＭ１＋ＨＭ２−ＨＭａ等）を得るようになる。
【００１５】
セグメントが任意の長さを有する場合、ΣＭｉの式を、差ＨＭｘ−ＨＭａのそれぞれが関連のセグメントの長さと最小のセグメントの長さとの間の比によって重み付けされるように適合させる必要がある。セグメントの長さｌｉが１：２：４：２：１の比である５セグメントと仮定する。この場合、係数ＨＭ２−ＨＭａ及びＨＭ４−ＨＭａに２／１を乗算し、かつ、係数ＨＭ３−ＨＭａに４／１を乗算する必要がある。さらに、これは平均ヒストグラム値ＨＭａに適用され、平均ヒストグラム値ＨＭａはΣ［ｌｉ＊ＨＭｉ］／Σｌｉに等しい。すなわち、ヒス
トグラム値ＨＭ１，  ，ＨＭ５が例えば０，１，３，１，０と連続している場合［（１＊０）＋（２＊１）＋（４＊３）＋（２＊１）＋（１＊０）］／１０＝１．６となり、セグメントの長さは、平均ヒストグラム値ＨＭａが決定される場合も考慮される。
【００１６】
入力信号Ｙｉを差動増幅器７１の第１入力部１にも供給する。この差動増幅器７１を、図１に示す差動増幅器３１，  ，３ｎと同一のタイプとすることができる。電圧Ｖ０，  ，Ｖ（ｎ−１）のうちの一つが、振幅セグメント表示信号Ｓ１，  ，Ｓｎによって制御されるスイッチを介して差動増幅器７１の第２入力部２に印加される。瞬時の入力信号Ｙｉが振幅セグメント表示信号Ｓｘに関連する振幅セグメントの範囲内に降下すると、電圧Ｖ（ｘ−１）は、振幅セグメント表示信号Ｓｘによって制御されるスイッチを介して差動増幅器７１の第２入力部に印加されるようになる（ｘ＝０，  ，ｎ）。バイアス電圧ＨＭ１，  ，ＨＭｎのうちの一つが、振幅セグメント表示信号Ｓ１，  ，Ｓｎによって制御されるスイッチを介して差動増幅器７１の第３入力部３に印加される。瞬時の入力信号Ｙｉが振幅セグメント表示信号Ｓｘに関連する振幅セグメントの範囲内に降下すると、バイアス電圧ＨＭｘは、振幅セグメント表示信号Ｓｘによって制御されるスイッチを介して差動増幅器７１の第３入力部に印加されるようになる。（ｘ＝０，  ，ｎ）。バイアス電圧ＨＭ１，  ，ＨＭｎの平均値ＨＭａは、差動増幅器７１の第４入力部４に印加される。入力部２及び３において振幅セグメント表示信号Ｓ１，  ，Ｓｎによって制御される一連のスイッチを有する単一の差動増幅器７１は、図１の個別の差動増幅器３１−３５に相当する。差動増幅器７１はＨＭｘ−ＨＭａの関数としてセグメントの差信号Ｙｉ−Ｖｘを増幅し、瞬時の入力信号Ｙｉが存在する範囲内の振幅セグメントｘに関連する制御信号値ＨＭｘ及び電圧Ｖｘは、振幅セグメント表示信号Ｓｘによって制御されるスイッチを介して差動増幅器７１に印加される。
【００１７】
毎回、電流振幅セグメントに関連する信号ΣＭ１’，  ，ΣＭｎ’が、信号Ｓ１，  ，Ｓｎによって制御されるスイッチを介して差動増幅器７３の第１入力部１に供給される。また、信号ＨＭａが差動増幅器７３の第２入力部２に供給される。基準電圧Ｖbrefが差動増幅器７３の第３入力部３に供給される。分圧器Ｒ３を介して得られるバイアス電圧は、差動増幅器７３の第４入力部４に印加される。差動増幅器７３は、ΣＭｘ’−ＨＭａ＝ΣＭｘに、Ｙbref及び抵抗Ｒ３に依存する調整可能な係数を乗算する。
【００１８】
差動増幅器７３の出力信号ＹＭ２は、加算器７５によって差動増幅器７１の出力信号ＹＭ１に加算される。加算器７５の出力信号Ｙ"は制御可能な増幅器７７を介して加算器３９に供給され、この出力信号Ｙ"とともに入力信号Ｙｉも加算器７９に供給され、非線形的に処理された出力信号Ｙｈｍを得るようになる。
【００１９】
図４は、図３の非線形増幅器を示す数個のダイヤグラムを示す。ダイヤグラムＡは、ビデオ信号から得ることができるヒストグラムを示す。ダイヤグラムＤは、入力信号Ｙｉを細線によって示す（この信号はヒストグラム測定の測定窓の外側で降下する）。ダイヤグラムＢは、増幅器７１の出力信号ＹＭ１を、一方では入力信号Ｙｉと電流ヒストグラムセグメントの下限Ｖｘとの間の差の関数として、他方では電流ヒストグラム値ＨＭｘと平均ヒストグラム値ＨＭａとの間の差の関数として示す。ヒストグラム値ＨＭｘが零の場合、増幅器７１は勾配が１である負の伝達特性を有する。ヒストグラム値ＨＭｘが平均値ＨＭａに等しい場合、増幅器７１は零に等しい出力信号を有する。ヒストグラム値ＨＭｘがこの平均値ＨＭａより上の平均値ＨＭａの２倍である場合、増幅器７１は勾配が２である正の伝達特性を有する。ダイヤグラムＣは、非線形的な増幅出力信号Ｙｈｍを得るために入力信号Ｙｉに加算する必要がある所望の補正信号Ｙ"を実線で示し、所望の補正信号Ｙ"を得るために増幅器７１の出力信号ＹＭ１に加算する必要がある増幅器７３の出力信号ＹＭ２を破線で示す。この増幅器７３の出力信号ＹＭ２は、平均ヒストグラム値ＨＭａに関して考察された上述したヒストグラム値の和に等しい。ダイヤグラムＤは、図３の非線形増幅器の出力信号Ｙｈｍ＝Ｙｉ＋Ｙ"を太線で示す。
【００２０】
換言すれば、入力信号Ｙｉの振幅セグメントごとに調整可能な利得を有する図３に示す本発明による非線形回路の実施例は、複数の振幅セグメント信号Ｓ１， ，Ｓｎを入力信号Ｙｉから得る分割回路２１，  ，６ｎと、これら分割回路２１，  ，６ｎに結合され、振幅セグメント信号Ｓ１，  ，Ｓ５に基づいた各セグメント利得係数ＨＭ１，  ，ＨＭ５を入力信号Ｙｉに乗算し、入力信号Ｙｉの振幅セグメントごとに調整可能な信号Ｙ"を供給する非線形セグメント増幅回路７１，  ，７７と、これら非線形セグメント増幅回路７１，  ，７７に結合され、入力信号Ｙｉの振幅セグメントごとに調整可能な増幅出力信号Ｙｈｍを供給する出力回路３９とを具える。この点に関して図３の実施例では、振幅セグメント信号Ｓｘは瞬時の入力信号Ｙｉが存在する範囲内の振幅セグメントの表示であり、それに対して図１の実施例では、振幅セグメント信号Ｙｘは、番号ｘで示された振幅セグメントの範囲内で降下する入力信号Ｙｉの表示部分である。
【００２１】
図１及び３に示す両実施例に対して、原理的にはあらゆる非線形的な伝達特性を、（可能なら外部から供給される）セグメント利得係数ＨＭ１，  ，ＨＭ５によって実現することができる。さらに、等しくないセグメント長を選択することにより、非線形増幅器の所望の伝達特性の特性を非常に少ない数のセグメントに対しても得ることができる。乗算器の個数が少ないので、図３に示す非線形増幅器は多数のヒストグラムセグメントに対しても好適であり、この場合図３の回路に追加するのに要求されるスイッチの集積回路上の占積率は、図１の回路に要求されるスイッチに比べてごくわずかである。
【００２２】
本発明は上述した実施例に限定されるものではなく、幾多の変形及び変更が可能である。例えば、非線形増幅器の非線形性はヒストグラム値ＨＭ１，  ，ＨＭ５の統計偏差（標準偏差）に依存するようにすることができ、この場合補正項Ｙ"を、これが入力信号Ｙｉに加算される前に統計偏差に応じた値で乗算するか又はこの値に加算する。大きい統計偏差に対する非常に大きな非線形性をこのようにして防止することができ、補正項Ｙ"のより大きな増幅を小さい統計偏差で得ることができる。最大振幅値のヒストグラムセグメントＨＭ５を統計偏差の演算から除くことにより、人間の眼球の感応性に更に良好に適合させることができる。標準偏差に基づいたこのような補正項の適合を、ディジタル非線形回路においても行うことができる。
【図面の簡単な説明】
【図１】  本発明による非線形回路の第１実施例の接続配置を示す回路図である。
【図２】  図１に示す非線形回路に用いるゲート回路の構成を示す回路図である。
【図３】  本発明による非線形回路の第２実施例の接続配置を示す回路図である。
【図４】  Ａ〜Ｄは、図３の非線形回路の動作を説明する特性図である。
【符号の説明】
１  第１入力部
２  第２入力部
３  第３入力部
４  第４入力部
１ｘ，１１，１２，１３，１４，１５  セグメントゲート回路
２１，２２，２３，２４，２５，２（ｎ−１），２ｎ  抵抗段
３１，３２，３３，３４，３５，３７，７１，７３  差動増幅器
３９，６９，７５  加算器
４１，４（ｎ−１），４ｎ  緩衝増幅器
５１，５（ｎ−１），５ｎ，６１，６（ｎ−１），６ｎ  コンパレータ
６７  ヒストグラム測定回路
７７  増幅器
ＨＭａ  平均値
ＨＭ１，ＨＭ２，ＨＭ３，ＨＭ４，ＨＭ５，ＨＭｎ−１，ＨＭｎ，Ｙ"ctrl
バイアス電圧
Ｉ  電流
Ｒ１，Ｒ２  抵抗
Ｒ３  分圧器
Ｓ１，Ｓ２，Ｓｎ−１，Ｓｎ  増幅セグメント表示信号
Ｔ１，Ｔ２，Ｔ３，Ｔ４  トランジスタ
＋Ｖ  正の電源電圧
−Ｖ  負の電源電圧
Ｖ（ｘ−１）  下限電圧
Ｖｘ  上限電圧
Ｖ０，Ｖ１，Ｖ２，Ｖ３，Ｖ４，Ｖ５，Ｖ（ｎ−１），Ｖｎ，Ｙｍ  電圧
Ｖbref  黒レベル基準電圧
Ｙｉ  入力信号
Ｙ１，Ｙ２，Ｙ３，Ｙ４，Ｙ５，Ｙ"，Ｙ"１，Ｙ"２，Ｙ"３，Ｙ"４，Ｙ"５  信号
Ｙｈｍ  出力電圧
ΣＭ１，ΣＭ２，ΣＭｎ−１，ΣＭｎ，Ｙ"ｓ  加算信号
【図１】
0003980660.tif 000006
【図２】
0003980660.tif 000007
【図３】
0003980660.tif 000008
【図４】
0003980660.tif 000009